(57)【特許請求の範囲】
【請求項１】
通信システム内の通信デバイス（３５）において実行される近隣セル検出の方法（２０）であって、セル検出のための同期信号が、１つまたは複数のサブバンドに位置し、各サブバンドが、システム周波数帯域幅の一部であり、反復時間周期で反復され、
各反復時間周期を、各時間間隔が前記同期信号の反復時間周期の一部である時間間隔に分割することと、
前記サブバンドの数に前記時間間隔の数を掛けたサイズを有する規定済みリソースグリッドの一部であるサブバンド時間間隔リソースを処理のために少なくとも１つ選択すること（２１）と、
前記少なくとも１つのサブバンド時間間隔リソースに含まれる１つまたは複数の無線サンプルを記録すること（２２）と、
記録された前記無線サンプルに対して同期信号の検出を実行すること（２３）と、
停止基準が満たされるまで、前記選択すること（２１）、前記記録すること（２２）、および前記実行すること（２３）を反復すること（２４）と、
を含む、方法（２０）。
【請求項２】
前記実行すること（２３）が終了した後、前記少なくとも１つのサブバンド時間間隔リソースを処理済みとしてマークすることを含む、請求項１に記載の方法（２０）。
【請求項３】
前記選択すること（２１）が、処理済みとしてマークされていないサブバンド時間間隔リソースを選択することを含む、請求項２に記載の方法（２０）。
【請求項４】
前記停止基準が、サブバンドの数に時間間隔の数を掛けたサイズを有する規定済みリソースグリッドの全てのサブバンド時間間隔リソースを処理したことを含む、請求項１から３のいずれか一項に記載の方法（２０）。
【請求項５】
前記停止基準が、所望の同期信号を検出したことを含む、請求項１から３のいずれか一項に記載の方法（２０）。
【請求項６】
各サブバンドが、個々の同期信号が送信される前記帯域幅に少なくともまたがる、請求項１から５のいずれか一項に記載の方法（２０）。
【請求項７】
前記記録すること（２２）の前に、前記１つまたは複数の無線サンプルをダウンサンプリングすることを含む、請求項１から６のいずれか一項に記載の方法（２０）。
【請求項８】
２つの隣接する時間間隔が、オーバラップする、請求項１から７のいずれか一項に記載の方法（２０）。
【請求項９】
２つの隣接するサブバンドが、オーバラップする、請求項１から８のいずれか一項に記載の方法（２０）。
【請求項１０】
各サブバンドの前記帯域幅が、前記システム周波数帯域幅よりも小さい、請求項１から９のいずれか一項に記載の方法（２０）。
【請求項１１】
通信デバイス（３５）のためのコンピュータプログラム（３２）であって、前記通信デバイス（３５）の処理回路上で実行されたとき前記通信デバイス（３５）に請求項１から１０のいずれか一項に記載の前記方法（２０）を実行させるコンピュータプログラムコードを含む、コンピュータプログラム（３２）。
【請求項１２】
請求項１１に記載のコンピュータプログラム（３２）が記憶されるコンピュータ可読記憶媒体。
【請求項１３】
通信システムにおける近隣セル検出のための通信デバイス（３５）であって、セル検出のための同期信号が、１つまたは複数のサブバンドに位置し、各サブバンドが、システム周波数帯域幅の一部であり、反復時間周期で反復され、前記通信デバイス（３５）が、
各反復時間周期を、各時間間隔が前記同期信号の反復時間周期の一部である時間間隔に分割し、
前記サブバンドの数に前記時間間隔の数を掛けたサイズを有する規定済みリソースグリッドの一部であるサブバンド時間間隔リソースを処理のために少なくとも１つ選択し、
前記少なくとも１つのサブバンド時間間隔リソースに含まれる１つまたは複数の無線サンプルを記録し、
記録された前記無線サンプルに対して同期信号の検出を実行し、
停止基準が満たされるまで、前記選択すること、前記記録すること、および前記実行することを反復するように設定される、通信デバイス（３５）。
【請求項１４】
請求項２から１０のいずれか一項に記載の前記方法を実行するように設定される、請求項１３に記載の通信デバイス（３５）。
【発明の詳細な説明】
【技術分野】
【０００１】
本明細書で開示される技術は、一般に、無線通信の分野に関し、詳細には、近隣セル検出の方法、通信デバイス、コンピュータプログラム、およびコンピュータプログラム製品に関する。
【背景技術】
【０００２】
無線通信システムのための現在の標準、例えば、Ｌｏｎｇ−Ｔｅｒｍ  Ｅｖｏｌｕｔｉｏｎ（ＬＴＥ）は、１．４ＭＨｚから最大２０ＭＨｚの柔軟な帯域幅をサポートし、キャリアアグリゲーション技術を用いて、より広い帯域幅もサポートする。以下においてユーザ機器（ＵＥ）により例示される通信デバイスが、ネットワークノード（例えば、ＬＴＥの場合、ｅノードＢ）に接続するために、ＵＥは、使用するシステム帯域幅だけでなく、セルキャリア周波数を判断する必要がある。さらに、現在のＬＴＥ標準では、ネットワークノードおよびＵＥが、同一のシステム帯域幅を用いてサポートおよび接続するための要件がある。したがって、ＵＥは、ネットワークノードのシステム帯域幅全体にわたって、例えば、制御メッセージを探索しなければならない。
【０００３】
本明細書においてＮＲと示される、５Ｇにおける来たる新たな無線アクセス技術について、それぞれのネットワークノードのシステム帯域幅に関しては、より包括的な手法が望ましい。ＮＲは、最大数ＧＨｚのシステム帯域幅が可能なハイエンドモバイルブロードバンドＵＥから、おそらく約１００ｋＨｚから最大数ＭＨｚ帯域幅をサポートするだけにすぎない低コスト低電力のマシン型通信（ＭＴＣ）デバイスまで、複数の異なるタイプのＵＥ／デバイスをサポートするべきである。したがって、望ましい要件は、例えば１００ＭＨｚ帯域幅をサポートするＵＥに、次世代基地局（ｇノードＢと示される）の全体システム帯域幅内のどこかの、スケジューリング帯域幅と示される指定されたＵＥシステム帯域幅が割り当てられ得ることである。特定の例として、スケジューリング帯域幅は、最大１００ＭＨｚであってもよく、全体システム帯域幅は、１０００ＭＨｚであってもよい。ｇノードＢが、ＵＥによってサポートされる帯域幅よりも小さいスケジューリング帯域幅を割り当て得ることもまた、望ましい。
【０００４】
ＮＲにおいては、ＵＥがセル検出のために同期信号に依存することが、提案されている。同期信号は、ｇノードＢのシステム帯域幅全体を一杯に満たすことはないが、その代わりに、サブバンドのみ（すなわち、帯域幅の一部のみ）を一杯に満たす。サブバンドは、どのサブバンドを使用するかを隣接ノードに通知する、サービングネットワークノード／サービングビームによって設定される。ＵＥは、同期信号を見つけるべき場所を知るために、使用するサブバンドについても通知される。
【０００５】
ＮＲにおいては、ＬＴＥレガシーシステムにおけるように、同期信号の固定位置（すなわち、時間および／または周波数の固定位置）が存在しない場合がある。したがって、ＵＥは、周波数内隣接セルを探索するときに、システム帯域幅内の周波数および時間の両方において探索しなければならない。
【０００６】
ＬＴＥレガシーシステムでは、同期信号が、５ミリ秒（ｍｓ）毎に６個の中央リソースブロック（ＲＢ）（１．４ＭＨｚ）で送信され、したがって、セル検出およびモビリティ測定については、無線サンプルに対して１．９２ＭＨｚのサンプリングレートで動作すれば十分であるが、システム帯域幅は２０ＭＨｚであってもよく、それによって、無線サンプルが３０．７２ＭＨｚのサンプリングレートで得られる。これによって、ＵＥ実装が、セル検出およびモビリティ測定のために無線サンプルを記録および後処理することが可能となり、その場合に、後処理は、ハードウェア（ＨＷ）アクセラレータおよびデジタル信号プロセッサ（ＤＳＰ）などの物理リソースがアイドリング状態であるときに実行され得る。これは、ＵＥが、セル検出だけでなく全ての動作、通信タスクをリアルタイムで実行する必要がある場合よりも低いＵＥの複雑性をもたらす。
【０００７】
ＬＴＥと比較したＮＲにおける同期信号の反復期間の増加（例えば、５ｍｓに代えて１００ｍｓ）、および同期信号が送信されるサブバンドに関する柔軟性に伴って、メモリ要件、処理ケイパビリティ、またはその両方に関するＵＥの複雑性を現在のＬＴＥと比較して劇的に増加させることなく、ＵＥが周波数内近隣セルを検出することが、困難となっている。
【０００８】
上記のことから、複雑性を増加させることなく、したがって通信デバイスのコストを増加させることなく、ＮＲセルを検出する必要があると認識される。
【発明の概要】
【０００９】
本教示の目的は、次世代無線アクセス技術についての多様な態様に対処し、改善することである。特定の目的は、通信デバイス（例えば、ＵＥ）が効率的にＮＲセル検出を実行し得る手段による方法およびデバイスを提供することである。別の特定の目的は、通信デバイスの複雑性を増加させることなく、このようなＮＲセル検出を可能にすることである。これらの目的などは、添付の独立請求項による方法、デバイス、コンピュータプログラム、およびコンピュータプログラム製品によって、ならびに従属請求項による実施形態によって達成される。
【００１０】
目的は、通信システム内の通信デバイスにおいて実行される近隣セル検出の方法であって、セル検出のための同期信号が、１つまたは複数のサブバンドに位置し、各サブバンドが、システム周波数帯域幅の一部であり、反復時間周期において反復される、方法によって達成される態様による。方法は、各反復期間を時間間隔に分割することであって、各時間間隔が、同期信号の反復時間周期の一部である、各反復期間を分割することと、処理のために少なくとも１つのサブバンド時間間隔リソースを選択することと、少なくとも１つのサブバンド時間間隔リソースに含まれる１つまたは複数の無線サンプルを記録することと、記録された無線サンプルに対して同期信号の検出を実行することと、停止基準が満たされるまで、選択すること、記録すること、および実行することを反復することと、を含む。
【００１１】
方法は、いくつかの利点をもたらす。例えば、方法は、通信デバイスが、それらの複雑性を増加させることなくセル検出を行うことを可能にする。特に、方法を用いて、通信デバイスは、無線サンプルの記憶のために、全システム帯域幅が記録される場合よりも少ないメモリを必要とする。さらに、例えば、セル検出のために使用されるデジタル信号プロセッサおよびハードウェアアクセラレータなどのハードウェアが、全システム帯域幅がサンプリングされ、記憶される場合よりも低いサンプルレートで動作する。さらに、デジタル信号プロセッサおよびハードウェアアクセラレータが、より効率的に利用され得る。
【００１２】
目的は、通信デバイスのためのコンピュータプログラムによって達成される態様による。コンピュータプログラムは、通信デバイスの処理回路上で実行されたとき通信デバイスに上記のような方法を実行させるコンピュータプログラムコードを含む。
【００１３】
目的は、上記のようなコンピュータプログラムを含むコンピュータプログラム製品、およびコンピュータプログラムが記憶されるコンピュータ可読手段によって達成される態様による。
【００１４】
目的は、通信システムにおける近隣セル検出のための通信デバイスであって、セル検出のための同期信号が、１つまたは複数のサブバンドに位置し、各サブバンドが、システム周波数帯域幅の一部であり、反復時間周期において反復される、通信デバイスによって達成される態様による。通信デバイスは、各反復期間を、各時間間隔が前記同期信号の反復時間周期の一部である時間間隔に分割し、各時間間隔が、同期信号の反復時間周期の一部であり、処理のために少なくとも１つのサブバンド時間間隔リソースを選択し、少なくとも１つのサブバンド時間間隔リソースに含まれる１つまたは複数の無線サンプルを記録し、記録された無線サンプルに対して同期信号の検出を実行し、停止基準が満たされるまで、選択すること、記録すること、および実行することを反復するように設定される。
【００１５】
以下の説明および添付図面を読むと、本教示の実施形態のさらなる特徴および利点が、明らかとなるであろう。
【図面の簡単な説明】
【００１６】
【図１】本教示の実施形態による、受信機回路を示す。
【図２】本教示の実施形態による、セル検出のための時間および周波数ホッピングの例を示す。
【図３】本教示による通信デバイスにおける方法のステップにわたるフローチャートを示す。
【図４】本教示による通信デバイスにおける方法の実施形態のステップにわたるフローチャートを示す。
【図５】本教示による方法の実施形態を実装するための通信デバイスおよび手段を概略的に示す。
【図６】本教示の実施形態を実装するための機能モジュール／ソフトウェアモジュールを含む通信デバイスを示す。
【発明を実施するための形態】
【００１７】
以下の説明において、限定ではなく説明の目的で、完全な理解をもたらすために、特定のアーキテクチャ、インターフェース、技術などの具体的詳細が述べられている。他の例では、周知のデバイス、回路、および方法の詳細な説明は、不必要な詳細で説明を不明瞭にしないために省略される。同一の参照番号は、説明全体を通して同一または類似の要素を参照する。
【００１８】
簡潔には、様々な実施形態において、通信デバイス、例えば、ＵＥは、セル検出の目的で無線サンプルを記録し、後処理を行う。ＵＥは、同期信号の反復期間よりも短くなり得る時間において、および時間間隔にわたって、１つまたは複数のサブバンド上で動作し得る。
【００１９】
図１は、本教示の実施形態による受信機回路を示す。通信デバイスは、本明細書に開示されるセル検出方法の様々な実施形態を実装するための受信機回路を含み得る。受信機回路は、無線周波数（ＲＦ）フロントエンド１０１、ＲＦ受信機部１０２、ならびに記録および再生ユニット１０３を含む。通信デバイスは、典型的には、（図に示すように）ベースバンド処理部も含む。
【００２０】
ＲＦフロントエンド１０１において、ＲＦ信号は、アンテナ１００を介して受信され、バンドパスフィルタ１０５を通過し、低ノイズ増幅器（ＬＮＡ）１１０によって増幅される。ＲＦ受信機部１０２において、ＲＦ信号は、発振器１２０によって制御されるミキサ１１５によってベースバンド信号にミックスダウンされる。ベースバンド信号は、対象帯域幅外の干渉を抑制するローパスフィルタ１２５を通過する。ローパスフィルタリングされたベースバンド信号は、自動利得制御（ＡＧＣ）１３０に従い、アナログデジタルコンバータ（ＡＤＣ）１３５によってデジタル信号に変換される。
【００２１】
ＲＦ受信機部１０２のＡＤＣ１３５の出力における信号は、最大が全システム帯域幅のサブバンドの範囲内のどこかであり得る帯域幅を有する。第１の帯域幅ＢＷ１を有する信号が、さらなる処理のためにデジタルベースバンド回路（図示せず）に供給される。同一の信号が、バンドパスフィルタ１４０、デシメータ１４５、およびメモリ／記憶装置１５０を含む、記録および再生ユニット１０３にも供給される。デシメータ１４５を通過した後、信号は、第１の帯域幅ＢＷ１よりも小さくなり得る第２の帯域幅ＢＷ２を有する。しかしながら、いくつかのシナリオおよび実施形態において、第１の帯域幅ＢＷ１および第２の帯域幅ＢＷ２は、同一であってもよい（一致してもよい）ことに留意されたい。
【００２２】
制御ユニット１６０は、バンドパスフィルタ１４０、デシメータ１４５、および記憶装置１５０の動作を設定するために提供され得る。制御ユニット１６０は、第１の帯域幅ＢＷ１および第２の帯域幅ＢＷ２（ＢＷ２＜ＢＷ１）のどちらのサブバンドが、同期信号の反復期間に関するどの時間間隔において記録されるべきかを判断するように設定され得る。一度、サブバンドについて時間間隔（「サブバンド時間間隔」）が記録されたら、制御ユニット１６０は、そのサブバンド時間間隔を処理済みとしてマークし、その結果、システム帯域幅（または、同期信号が送信され得るその一部）および同期信号周期性によって構成されるリソースグリッドにわたる全ての他のそのようなサブバンド時間間隔が処理されるまで、処理のために再びその特定のサブバンド時間間隔を選択するべきではない。同期反復期間は、１つまたは複数のより短い時間間隔に分解され得る。
【００２３】
記録された信号は、一次同期信号（ＰＳＳ）検出ユニット１６５、および二次同期信号（ＳＳＳ）検出ユニット１７０を含み得る、セル検出ユニット１５５によってオフラインで処理され得る。いくつかの実施形態において、セル検出ユニット１５５は、モビリティパイロットまたは同期信号に対する信号強度測定を実行する測定ユニット１７５も含む。信号強度測定値についての例は、参照信号受信電力（ＲＳＲＰ）、参照信号受信品質（ＲＳＲＱ）、受信信号強度指標（ＲＳＳＩ）、参照信号の信号対干渉電力と雑音比（ＲＳ−ＳＩＮＲ）などを含む。そのような測定値は、例えば、セルもしくはビーム検証、またはモビリティ目的で使用され得る。
【００２４】
図２は、本教示の実施形態による、セル検出のための時間および周波数ホッピングの例を示す。特に、図２は、（図１を参照して説明される受信機回路１０１、１０２、１０３を含む）通信デバイスがどのように時間−周波数リソースを記録および処理し得るか、すなわち、サブバンド時間間隔を記録および処理する方法を示す。
【００２５】
図において、記録間隔は、記録および再生ユニット１０３がそれに対する信号入力を記録する時間間隔であり、そのような記録時間間隔は、水平軸に沿って示されている。記録間隔は、前述したように、サブバンド時間間隔と示される。全体システム帯域幅ＢＷは、垂直軸に沿って示されている。全体システム帯域幅ＢＷは、サブバンドに分割される。すなわち、サブバンドは、全体システム帯域幅ＢＷの周波数の一部を含む。空の四角は、通信デバイスがいかなる測定も行わないサブバンド時間間隔を示す。斜線付きの四角は、記録および再生ユニット１０３によって記録中のサブバンド時間間隔を示す。ドット付きの四角は、記録および再生ユニット１０３によって既に記録されたサブバンド時間間隔を示す。
【００２６】
通信デバイスは、同期信号の反復期間（同期反復期間、水平軸に沿って図の上部に示される）を意識しているが、同期信号を見つける場所を見つけ出す必要がある。このため、通信デバイス（その記録および再生ユニット１０３）は、第１の同期反復期間２０１において、特定のサブバンド時間間隔を記録し得る。第２の同期反復期間２０２において、通信デバイスは、別のサブバンド時間間隔を記録し得る。第２の同期反復期間２０２において、（第１の同期反復期間２０１の間に）既に記録されたサブバンド時間間隔は、ドット付きの四角によって示され、第２のサブバンド時間間隔は、記録中として示されている。これに対応して、第３の同期反復期間２０３では、第１の同期反復期間２０１および第２の同期反復期間２０２において記憶されるサブバンド時間間隔は、既に記録済みとして示され、第３のサブバンド時間間隔は、記録中として示されている。図２に示され、かつ図２を参照して説明されるサブバンド時間間隔の記録は、単に例示的な例として提供されること、および多くの他の探索戦略が使用され得ることに留意されたい。
【００２７】
図３は、本教示による通信デバイスにおける方法１０のステップにわたるフローチャートを示す。
【００２８】
ボックス１１において、全てのサブバンド時間間隔が、処理のためにクリアされる。すなわち、制御ユニット１６０が、上述の周波数内近隣セル測定を始めるとき、制御ユニット１６０は、まず、全てのサブバンド時間間隔を処理に適したものにするために、その以前のブックキーピングを全てクリアする。
【００２９】
ボックス１２において、制御ユニット１６０は、次いで、処理のために第１のサブバンド時間間隔を識別する。前述したように、通信デバイスがセル検出を実行し得る様々なやり方がある。例えば、通信デバイスは、近隣セルの中心周波数において開始するように設定されてもよい。いくつかのセルが、同一の中心周波数を有するとみられ、したがって、通信デバイスは、サービングセルが有するのと同一の中心周波数で開始してもよく、その中心周波数を通信デバイスが意識する。後続するフローの繰り返しにおいて、第２のサブバンド時間間隔が、識別されることとなる。この第２のサブバンド時間間隔は、第１のサブバンド時間間隔に隣接するサブバンド時間間隔であってもよい。さらなる別の例として、通信デバイスは、疑似ランダム方式または完全にランダムな方式で、セル探索を実行するように設定されてもよい。
【００３０】
ボックス１３において、制御ユニット１６０は、無線サンプルの記録を設定する。無線サンプルは、ボックス１２において識別された第１のサブバンド時間間隔の間記録される。
【００３１】
ボックス１４において、制御ユニット１６０は、記録されたサンプルに対してセル検出を実行する。例えば制御ユニットのハードウェア（例えば、制御ユニットがどのくらい速く実行され得るか）に応じて、１つまたは複数の無線サンプルが、各繰り返しにおいて扱われ得る。
【００３２】
ボックス１５において、制御ユニット１６０は、ブックキーピングステップを実行し、特定段階における特定サブバンドを処理済みとしてマークする。サブバンド時間間隔が処理された後、制御ユニット１６０は、全ての他のそのようなサブバンド時間間隔が処理されるまで、既に処理済みとしてサブバンド時間間隔をブックキーピングする。
【００３３】
決定ボックス１６において、処理されるべきサブバンド時間間隔がさらに存在するかどうかが決定される。
【００３４】
存在する場合、上記ステップ（ボックス１２、１３、１４、１５）が反復される。これらのステップ（ボックス１２、１３、１４、１５、および１６）は、何らかの停止基準が満たされるまで、反復される。全てのサブバンド時間間隔が処理されたとき、フローは、ボックス１１まで続き、制御ユニット１６０は、ブックキーピングをクリアし、再び最初からやり直してもよい。
【００３５】
１つの実施形態において、停止基準は、全てのサブバンド時間間隔が処理されたことである。別の実施形態では、停止基準は、ある同期信号がサブバンド時間間隔において検出されたことである。追加のサブバンド時間間隔の処理をいつ停止するかを決定するための複数の他のオプションがある。
【００３６】
近隣セルからの信号が、記録された時間間隔の外側に部分的に入るために、検出され得ないことを回避するために、時間間隔は、例えば、一次および／または二次同期信号にわたる直交周波数分割多重（ＯＦＤＭ）シンボルの数だけオーバラップすることによって、互いにオーバラップしてもよい。
【００３７】
いくつかの実施形態において、通信デバイスは、１つより多くのサブバンドを毎回記録することが可能であってもよく、したがって、セル検出プロセスを高速化する。
【００３８】
さらなる他の実施形態において、時間／周波数スプリットは、オーバラップしてもよい。
【００３９】
いくつかの実施形態において、通信デバイスは、最後に見つけられた同期信号に基づいて探索を開始してもよい。すなわち、通信デバイスは、最初に、最後の時間／周波数ウィンドウにおいて同期信号を探索し、見つからない場合に、最初に隣接する時間／周波数ウィンドウなどにより継続する。
【００４０】
説明された様々な特徴および実施形態が、図４を最初に参照して次にその例が与えられる、多くの異なるやり方で組み合わされ得る。
【００４１】
図４は、本教示による通信デバイスにおける方法の実施形態のステップにわたるフローチャートを示す。近隣セル検出の方法２０が提供される。近隣セル検出は、周波数内検出または周波数間検出であってもよい。方法は、通信デバイス３５において実行され得る。通信デバイス３５は、進化型モバイルブロードバンドＵＥ、例えば、スマートフォン、および低コスト低電力マシン型通信（ＭＴＣ）デバイスなど、無線周波数上で通信することが可能な任意の種類のデバイスであってもよい。
【００４２】
方法２０は、処理のために少なくとも１つのサブバンド時間間隔リソースを選択すること２１であって、各サブバンドが、システム周波数帯域幅の一部であり、各時間間隔が、同期信号の反復時間周期の一部である、選択すること２１を含む。例えば、図２および図３に関連して前述したように、システム周波数帯域幅は、１つまたは複数のサブバンドに分割されてもよく、同期信号反復期間は、１つまたは複数の時間間隔に分割されてもよい。サブバンド×時間間隔のサイズのリソースグリッドが、規定されてもよく、全てのリソースが、処理に適するとしてマークされてもよい。選択すること２１は、処理のためのサブバンド時間間隔リソースが、処理に適したリソースであると判断するサブステップを含んでもよい。１つのサブバンド時間間隔リソースは、例えば、既に処理されていないリソースであるべきである。
【００４３】
方法２０は、少なくとも１つのサブバンド時間間隔リソースに関連付けられた１つまたは複数の無線サンプルを記録すること２２を含む。無線サンプルを記録することによって、セル検出処理が非リアルタイム方式で行われ得る。
【００４４】
方法２０は、記録された無線サンプルに対してセル検出を実行すること２３を含む。セル検出の実行は、例えば、システム情報ブロックにおいておそらく伝達される物理セルＩＤまたは何らかのシステム情報などの、近隣セルについての基本情報を復号することを含んでもよい。
【００４５】
方法２０は、停止基準が満たされるまで、選択すること２１、記録すること２２、および実行すること２３を反復すること２４を含む。
【００４６】
方法は、いくつかの利点をもたらす。例えば、方法は、通信デバイス３５が、それらの複雑性を増加させることなく近隣セル検出を行うことを可能にする。特に、方法２０を用いて、通信デバイス３５は、無線サンプルの記憶のために、全システム帯域幅が記録される場合よりも少ないメモリを必要とする。さらに、例えば、セル検出のために使用されるデジタル信号プロセッサおよびハードウェアアクセラレータなどのハードウェアが、全システム帯域幅がサンプリングされ、記憶される場合よりも低いサンプルレートで動作する。さらに、デジタル信号プロセッサおよびハードウェアアクセラレータが、より効率的に利用され得る。
【００４７】
実施形態において、方法２０は、実行すること２３が終了した後、少なくとも１つのサブバンド時間間隔リソースを処理済みとしてマークすることを含む。
【００４８】
実施形態において、選択すること２１は、処理済みとマークされていないサブバンド時間間隔リソースを選択することを含む。
【００４９】
様々な実施形態において、各サブバンド時間間隔リソースは、サブバンドの数に時間間隔の数を掛けたサイズを有する、規定済みリソースグリッドの一部である。
【００５０】
様々な実施形態において、停止基準は、サブバンドの数に時間間隔の数を掛けたサイズを有する規定済みリソースグリッドの全てのサブバンド時間間隔リソースを処理したことを含む。このような実施形態において、処理のためのサブバンドを選択することができないとき、方法２０は、終了する。他の実施形態において、方法２０は、停止基準が満たされるかどうかを判断するステップを含んでもよく、そのような判断ステップは、例えば、反復することのステップの一部である。
【００５１】
処理は、説明されたように、サブバンド時間間隔リソースに関連付けられた無線サンプルをダウンサンプリングすること、および記録すること、記録されたデータに対してセル検出を実行すること、リソースを処理済みとしてマークすることを含み得る。
【００５２】
様々な実施形態において、停止基準は、所望の同期信号を検出したことを含む。
【００５３】
様々な実施形態において、各サブバンドは、個々の同期信号が送信される帯域幅に少なくともまたがっている。
【００５４】
様々な実施形態において、方式２０は、記録すること２２の前に、１つまたは複数の無線サンプルをダウンサンプリングすることを含む。ダウンサンプリングすること、および記録することは、例えば、記録の開始時間および停止時間を判断すること、フィルタリングおよびダウンサンプリングするサブバンドを判断すること、ダウンサンプリング比（ＢＷ２対ＢＷ１）を判断すること、ならびにフィルタ、デシメータ、および記憶装置を設定することを含み得る。
【００５５】
様々な実施形態において、２つの隣接する時間間隔は、オーバラップしている。オーバラップは、例えば、同期信号がまたがっている通信リソースに対応する時間だけであってもよい。同期信号は、前に例示したように、一次同期信号および／または二次同期信号であってもよい。
【００５６】
様々な実施形態において、隣接するサブバンドは、オーバラップしている。サブセット間の周波数領域における長さが、オーバラップされてもよい。前述したように、通信デバイス３５は、システム帯域幅のどこかで同期信号を探索し得る。いくつかの実施形態において、システム帯域幅は、２つに分割されてもよく、いくつかの実施形態において、サブバンドは、周波数においてオーバラップしてもよい。
【００５７】
様々な実施形態において、各サブバンドの帯域幅は、システム周波数帯域幅よりも小さい。
【００５８】
図５は、本教示による方法の実施形態を実装するための通信デバイスおよび手段を概略的に示す。通信デバイス３５は、前述のように、任意の種類の無線通信デバイス、例えば、携帯電話、またはＭＴＣデバイスであってもよい。
【００５９】
通信デバイス３５は、例えば、記憶媒体３１の形式で、コンピュータプログラム製品３１に記憶されるソフトウェア命令を実行することが可能な、適当な中央処理装置（ＣＰＵ）、マルチプロセッサ、マイクロコントローラ、デジタル信号プロセッサ（ＤＳＰ）などのうちの１つまたは複数の任意の組合せであり得る処理回路３０を含む。処理回路３０は、少なくとも１つの特定用途向け集積回路（ＡＳＩＣ）、またはフィールドプログラマブルゲートアレイ（ＦＰＧＡ）としてさらに提供されてもよい。
【００６０】
処理回路３０は、例えば、図３および図４に関連して説明されるように、動作またはステップのセットを通信デバイス３５に実行させるように設定される。例えば、記憶媒体３１は、動作のセットを記憶してもよく、処理回路３０は、動作のセットを記憶媒体３１から取り出して、通信デバイス３５に動作のセットを実行させるように設定されてもよい。動作のセットは、実行可能な命令のセットとして提供されてもよい。処理回路３０は、それによって、本明細書に開示される方法を実行するように配置される。
【００６１】
記憶媒体３１は、例えば、磁気メモリ、光学メモリ、ソリッドステートメモリ、または遠隔搭載されたメモリさえも、これらのうちの任意の単一のもの、または組合せであり得る永続的記憶装置も含み得る。
【００６２】
通信デバイス３５は、例えば、ネットワークノードと他の通信デバイスとの通信のためのインターフェース３３（図においてＩ／Ｏと示される）をさらに含み得る。インターフェース３３は、例えば、無線接続のためのインターフェースであってもよく、１つまたは複数の入力／出力デバイス、アンテナ、送信回路、受信回路、および／または他のデバイスもしくはエンティティとの通信用のプロトコルスタックを含んでもよい。インターフェース３３は、データ入力を受信するため、およびデータを出力するために使用され得る。
【００６３】
通信デバイス３５は、図１を参照して説明したように、無線周波数（ＲＦ）フロントエンド１０１、ＲＦ受信機部１０２、ならびに記録および再生ユニット１０３をさらに含む。これらの部分１０１、１０２、１０３のそれぞれが、例えば、図１を参照して説明された、コンポーネント１００、１０５、１１０、１１５、１２０、１２５、１３０、１３５、１４０、１４５、１５０、１５５、１６０、１６５、１７０、および１７５のうちの１つまたは複数を含む。
【００６４】
近隣セル検出のための通信デバイス３５が、提供される。通信デバイス３５は、
処理のために少なくとも１つのサブバンド時間間隔リソースを選択し、各サブバンドが、システム周波数帯域幅の一部であり、各時間間隔が、同期信号の反復時間周期の一部であり、
少なくとも１つのサブバンド時間間隔リソースに関連付けられた１つまたは複数の無線サンプルを記録し、
記録された無線サンプルに対してセル検出を実行し、
停止基準が満たされるまで、選択すること、記録すること、および実行することを反復するように設定される。
【００６５】
通信デバイス３５は、例えば、１つまたは複数のプロセッサ３０（または処理回路）、およびメモリ３１を含むことによって、上記ステップを実行するように設定されてもよく、メモリ３１は、プロセッサ３０によって実行可能な命令を含み、それによって、通信デバイス３５は、ステップを実行するように動作可能である。すなわち、実施形態において、通信デバイス３５は、近隣セル検出のために提供される。通信デバイス３５は、１つまたは複数のプロセッサ３０、およびメモリ３１を含み、メモリ３１は、プロセッサ３０によって実行可能な命令を含み、それによって、通信デバイス３５は、処理のために少なくとも１つのサブバンド時間間隔リソースを選択し、各サブバンドが、システム周波数帯域幅の一部であり、各時間間隔が、同期信号の反復時間周期の一部であり、少なくとも１つのサブバンド時間間隔リソースに関連付けられた１つまたは複数の無線サンプルを記録し、記録された無線サンプルに対してセル検出を実行し、停止基準が満たされるまで、選択すること、記録すること、および実行することを反復するように動作可能である。
【００６６】
実施形態において、通信デバイス３５は、実行することが終了した後、少なくとも１つのサブバンド時間間隔リソースを処理済みとしてマークするように設定される。
【００６７】
様々な実施形態において、通信デバイス３５は、処理済みとマークされていないサブバンド時間間隔リソースを選択するように設定される。
【００６８】
様々な実施形態において、各サブバンド時間間隔リソースは、サブバンドの数に時間間隔の数を掛けたサイズを有する、規定済みリソースグリッドの一部である。
【００６９】
様々な実施形態において、停止基準は、サブバンドの数に時間間隔の数を掛けたサイズを有する規定済みリソースグリッドの全てのサブバンド時間間隔リソースを処理したことを含む。
【００７０】
様々な実施形態において、停止基準は、所望の同期信号を検出したことを含む。
【００７１】
様々な実施形態において、各サブバンドは、同期信号が送信される帯域幅に少なくともまたがっている。
【００７２】
様々な実施形態において、通信デバイス３５は、記録の前に、１つまたは複数の無線サンプルをダウンサンプリングするように設定される。
【００７３】
様々な実施形態において、２つの隣接する時間間隔がオーバラップしている。
【００７４】
様々な実施形態において、２つの隣接するサブバンドがオーバラップしている。
【００７５】
様々な実施形態において、各サブバンドの帯域幅は、システム周波数帯域幅よりも小さい。
【００７６】
図６は、本教示の実施形態を実装するための機能モジュール／ソフトウェアモジュールを含む通信デバイスを示す。機能モジュールは、プロセッサ内で実行中のコンピュータプログラムなどのソフトウェア命令を使用して、ならびに／または特定用途向け集積回路（ＡＳＩＣ）、フィールドプログラマブルゲートアレイ、個別の論理コンポーネントなど、およびそれらの任意の組み合わせなどのハードウェアを使用して、実装され得る。様々な実施形態において説明されている方法２０のステップのいずれかを実行するように適合可能であり、特に適合され得る、処理回路が提供され得る。
【００７７】
通信デバイス３５は、周波数内近隣セル検出用に提供される。通信デバイスは、処理のために少なくとも１つのサブバンド時間間隔リソースを選択するための第１のモジュール４１であって、各サブバンドが、システム周波数帯域幅の一部であり、各時間間隔が、同期信号の反復時間周期の一部である、第１のモジュール４１を含む。第１のモジュール４１は、例えば、そのような選択を実行するために適合された処理回路を含み得る。
【００７８】
通信デバイスは、少なくとも１つのサブバンド時間間隔リソースに関連付けられた１つまたは複数の無線サンプルを記録するための第２のモジュール４２を含む。そのような第２のモジュール４２は、例えば、前述した記録および再生ユニット１０３を含み得る。別の例として、第２のモジュール４２は、無線サンプルを記録するために適合された処理回路を含んでもよい。
【００７９】
通信デバイスは、記録された無線サンプルに対するセル検出を実行するための第３のモジュール４３を含む。第３のモジュール４３は、例えば、前述したセル検出ユニット１５５を含んでもよい。別の例として、第３のモジュール４３は、セル検出を実行するために適合された処理回路を含んでもよい。
【００８０】
通信デバイスは、停止基準が満たされるまで、選択すること、記録すること、および実行することを反復するための第４のモジュール４４を含む。第４のモジュール４４は、例えば、停止基準が満たされることを検出するまで反復することを始めるために適合された処理回路を含んでもよい。
【００８１】
発明は、主に、少数の実施形態を参照して本明細書で説明されている。しかしながら、当業者によって理解されるように、本明細書で開示された特定の実施形態以外の実施形態が、添付された特許請求の範囲によって規定される発明の範囲内において同様に可能である。
【図１】
0006875540.tif 000002
【図２】
0006875540.tif 000003
【図３】
0006875540.tif 000004
【図４】
0006875540.tif 000005
【図５】
0006875540.tif 000006
【図６】
0006875540.tif 000007